【事件の表示】
　平成　９年特許願第１７７４５８号「高速画像選択方法および高速画像選択機能付デジタルカメラ」拒絶査定不服審判事件〔平成１１年　１月　６日出願公開、特開平１１−　　４３６７〕について、次のとおり審決する。
【結　論】
　本件審判の請求は、成り立たない。
【理　由】
１．手続の経緯、本願発明
　本願は、平成９年７月２日（優先権主張平成９年４月１６日）の出願であって、その請求項１に係る発明（以下「本願発明」という。）は明細書及び図面の記載からみて、特許請求の範囲の請求項１に記載された次のとおりのものである。
「デジタルカメラで撮像した画像の選択方法であって、サムネイル画像を拡大して順次早送り／早戻し表示し、表示された拡大サムネイル画像のうちから所望のサムネイル画像を選択して当該サムネイル画像に対応する圧縮画像データを伸張して画像データを得る、ことを特徴とする高速画像選択方法。」
　
２．先願発明
　これに対して、原査定の拒絶の理由で引用された、本願の出願日前の他の出願であって、その出願後に出願公開された、特願平８−２３３４７６号（特開平１０−７９９１２号）（以下「先願」という。）の願書に最初に添付された明細書又は図面（以下「先願明細書等」という。）には、次のことが記載されている。
　
（ａ）「【特許請求の範囲】
　【請求項１】　画像を表示する表示手段を有し、第１の画像とこの第１の画像よりも上記表示手段への再生処理時間が長い第２の画像とにより構成された複数コマの撮像画像が記憶された記憶手段から各コマの撮像画像を順次、読み出し、上記表示手段に再生表示を行なうデジタルカメラであって、上記表示手段に再生すべきコマを指示する指示手段と、上記指示手段で再生すべきコマが所定の時間内の間隔で連続して指示されたとき、前回指示されているコマの第１の画像の上記表示手段への表示処理が完了した後、今回指示されたコマの第１の画像を上記表示手段に再生表示する第１の表示制御手段と、上記指示手段による再生すべきコマの連続指示が解除されたとき、連続指示で最後に指示されたコマの第１の画像の上記表示手段への表示処理が完了した後、そのコマの第２の画像を上記表示手段に再生表示する第２の表示制御手段とを備えたことを特徴とするデジタルカメラ。」（特許請求の範囲の【請求項１】）
　
（ｂ）「【従来の技術】
　デジタルカメラにおいては、一般に、記録媒体のメモリ容量の有効活用の観点から、撮像画像をＪＰＥＧ（Joint Photographic Coding Experts Group）方式等の所定の圧縮方式により圧縮して記録媒体に記録するようなっている。また、撮像画像の圧縮画像を記録媒体に記録する際、記録媒体に記録された撮像画像のインデックス画像として活用されるサムネイル画像を生成し、圧縮画像とともに記録媒体に記録することが行われている。このサムネイル画像は、撮像画像のデータ数を間引いて生成された小サイズの非圧縮画像で、圧縮画像に比して読出／再生を迅速に行なうことができるものである。
　また、従来、電子ビューファインダとして機能するＬＣＤ（Liquid Crystal Display）表示部を備えたデジタルカメラが知られている。このデジタルカメラでは、記録媒体に記録された複数コマの撮像画像のＬＣＤ表示部への再生表示が可能で、カメラに設けられたコマ送りスイッチでコマを指定して各コマの記録画像をＬＣＤ表示部に再生し、確認することができるようになっている。
　【発明が解決しようとする課題】
　ところで、上記デジタルカメラにおいては、記録媒体に記録された各コマの撮像画像をＬＣＤ表示部に再生して、記録内容を確認する場合、コマ送りスイッチを連続的に操作して各コマの撮像画像をＬＣＤ表示装置に再生する必要がある。この場合、コマ送りスイッチによるコマ指定毎に各コマの圧縮画像をＬＣＤ表示部に再生すると、圧縮画像の伸長処理に長時間を要し、迅速に各コマの撮像画像を再生することは困難である。ＪＰＥＧ方式の圧縮画像をＬＣＤ表示部に再生表示する場合、データ容量の圧縮釣にもよるが、例えば画素数３０万の画像信号を８ビットの画像データに変換し、１／８の圧縮率で圧縮した場合、圧縮画像の再生に略２秒程度を要する。
　このため、所望のコマ番号が現在のコマ番号から離れている場合、そのコマの撮像画像を再生するのに非常に長い時間を要し、単に画像内容を確認したい場合は、非常に不便である。この問題を解消するため、各コマの圧縮画像を全て再生することなく一定時間ごとに順次、各コマの圧縮画像を再生する方法も考えられるが、この方法では各コマの撮像画像の一部しか再生されず、内容確認の困難なコマが生じることがあり、実用的でない。
　本発明は、上記課題に鑑みてなされたものであり、記録媒体に記録された複数コマの撮像画像のＬＣＤ表示部での表示、確認を迅速に行なうことのできるデジタルカメラを提供するものである。」（段落【０００２】ないし【０００６】）
　
（ｃ）「次に、デジタルカメラ１の撮影／再生モードにおける動作制御について、説明する。
　・・・中略・・・
　再生モ−ドにおいては、まず、コマ数ｎをカウントするカウンタの初期値が「１」に設定された後（＃１０）、１コマ目のサムネイル画像がＬＣＤ表示部１０に表示される（＃１２〜＃１６）。すなわち、ＩＣカード１８のサムネイル画像エリアＡＲ２から１コマ目のサムネイル画像を読み出し（＃１２）、このサムネイル画像を、γ＝０．８２のγ特性でγ補正するとともに、ＬＣＤ表示部１０の表示サイズに拡大処理した後（＃１４）、画像メモリ２１０に転送してサムネイル画像のＬＣＤ表示部１０への表示が行なわれる（＃１６）。
　その後、１コマ目のＪＰＥＧ方式で圧縮された画像（以下、本画像という。）がＬＣＤ表示部１０に表示される。すなわち、ＩＣカード１８の本画像エリアＡＲ３から１コマ目の本画像をライン単位で読み出し（＃１８）、このライン画像を伸長するとともに、γ＝０．８２のγ特性でγ補正した後（＃２０）、画像メモリ２１０に転送して本画像のＬＣＤ表示部１０への表示が行なわれる（＃２２）。」（段落【０１１８】ないし【０１２１】）
　
（ｄ）「続いて、ＵＰスイッチ６、ＤＯＷＮスイッチ７及び消去スイッチ８のオン・オフ状態が順次、判別され（＃２４〜＃２８）、ＵＰスイッチ６がオンであれば（＃２４でＹＥＳ）、コマ数ｎが１だけインクリメントされ（＃３２）、ＤＯＷＮスイッチ７がオンであれば（＃２６でＹＥＳ）、コマ数ｎが１だけデクリメントされて（＃３４）、＃３８に移行し、ｎコマ目のサムネイル画像のＬＣＤ表示部１０への表示が行なわれる（＃３８〜＃４２）。」（段落【０１２５】）
　
（ｅ）「＃３８〜＃４２では、１コマ目のサムネイル画像と同様に、ＩＣカード１８のサムネイル画像エリアＡＲ２からｎコマ目のサムネイル画像の読出し（＃３８）、γ補正及び拡大処理（＃４０）が行なわれて、このサムネイル画像のＬＣＤ表示部１０への表示が行なわれる。
　続いて、０．５秒の待ち時間の後（＃４３）、ｎコマ目のサムネイル画像の表示処理中にＵＰスイッチ６又はＤＯＷＮスイッチ７のオン・オフ状態が順次、判別され（＃４４，＃４６）、ＵＰスイッチ６がオンであれば（＃４４でＹＥＳ）、コマ数ｎが１だけインクリメントされ（＃４８）、ＤＯＷＮスイッチ７オンであれば（＃４６でＹＥＳ）、コマ数ｎが１だけデクリメントされて（＃５０）、＃３８に移行し、（ｎ＋１）コマ目又は（ｎ−１）コマ目のサムネイル画像のＬＣＤ表示部１０への表示が行なわれる（＃３８〜＃４３）。
　＃３８〜＃５０の処理は、本画像の表示が行なわれる前にＵＰスイッチ６又はＤＯＷＮスイッチ７が操作された場合の処理で、サムネイル画像の表示処理には略０．５秒程度を要するので、連続的にＵＰスイッチ６又はＤＯＷＮスイッチ７が操作されると、各コマのサムネイル画像が略１秒毎に表示されることになる。
　ｎコマ目のサムネイル画像の表示処理中にＵＰスイッチ６、ＤＯＷＮスイッチ７のいずれも操作されなければ（＃４６）、現在表示されているｎコマ目の本画像のＬＣＤ表示部１０への表示処理が行なわれる（＃５２〜＃５８）。
　＃５２〜＃５８では、１コマ目のサムネイル画像と同様に、ＩＣカード１８の本画像エリアＡＲ３からｎコマ目の圧縮画像の読出し（＃５２）、伸長及びγ補正の処理（＃５４）がライン単位で行なわれて、この本画像のＬＣＤ表示部１０への表示が行なわれる。」（段落【０１２７】ないし【０１３１】）
　
（ｆ）「【発明の効果】
　以上説明したように、本発明によれば、第１の画像とこの第１の画像よりも上記表示手段への再生処理時間が長い第２の画像とにより構成された複数コマの撮像画像が記憶された記憶手段から各コマの撮像画像を順次、読み出し、表示手段に再生表示を行なうデジタルカメラであって、指示手段で再生すべきコマが所定の時間内の間隔で連続して指示されたときは、指定されたコマの第１の画像を連続して表示手段に再生し、連続指示が解除されると、最後に指定されたコマの第２の画像を表示手段に再生するようにしたので、例えば各コマの撮像画像が高画質の圧縮画像と非圧縮のサムネイル画像とで構成されている場合、再生コマが連続指示されたときは、サムネイル画像を連続表示することにより各コマの撮像内容を迅速に確認することができるとともに、所望のコマ位置まで迅速にコマ送りすることができる。」（段落【０１５０】）
　
　以上の記載と図３１及び図３２を参照し、デジタルカメラの撮像画像の再生表示動作について整理すると、先願明細書等には、以下のとおりの発明が記載されているものと認める。
　「デジタルカメラ１で撮像した画像の再生表示方法であって、ＩＣカード１８のｎコマ目のサムネイル画像を読出し、拡大処理等が行われて、表示部１０への表示が行われ、続いて、ｎコマ目のサムネイル画像の表示処理中にＵＰスイッチ６又はＤＯＷＮスイッチ７のオン・オフ状態が順次判別され、ＵＰスイッチ６又はＤＯＷＮスイッチ７がオンであれば、（ｎ＋１）コマ目又は（ｎ−１）コマ目のサムネイル画像が拡大処理等されて表示部１０への表示が行われ、すなわち、連続的にＵＰスイッチ６又はＤＯＷＮスイッチ７が操作されると、各コマのサムネイル画像が拡大処理等されて連続して略１秒毎に表示され、上記ｎコマ目のサムネイル画像の表示処理中にＵＰスイッチ６、ＤＯＷＮスイッチ７のいずれも操作しなければ、現在サムネイル画像で表示されているｎコマ目の本画像をＩＣカードから読出し、伸長処理等して表示部１０へ表示する画像の再生表示方法。」（以下「先願発明」という。）
　
３．対比、判断
　本願発明と先願発明とを対比する。
（ア）先願発明においては、ｎコマ目のサムネイル画像の表示処理中にＵＰスイッチ６又はＤＯＷＮスイッチ７がオンであれば、（ｎ＋１）コマ目又は（ｎ−１）コマ目のサムネイル画像が拡大処理等されて表示部１０への表示が行われ、すなわち、連続的にＵＰスイッチ６又はＤＯＷＮスイッチ７が操作されると、各コマのサムネイル画像が連続して略１秒毎に表示され、上記ｎコマ目のサムネイル画像の表示処理中にＵＰスイッチ６、ＤＯＷＮスイッチ７のいずれも操作しなければ、現在サムネイル画像で表示されているｎコマ目の本画像を伸長処理等して表示部１０へ表示するのであるから、先願発明における、「ｎコマ目のサムネイル画像の表示処理中にＵＰスイッチ６、ＤＯＷＮスイッチ７のいずれも操作しない」ことが、本願発明での「所望のサムネイル画像を選択して」に相当することは明らかであり、また、先願発明の「本画像」が本願発明の「圧縮画像データ」に相当することも明らかであり、そうすると、先願発明における、ｎコマ目のサムネイル画像の表示処理中にＵＰスイッチ６、ＤＯＷＮスイッチ７のいずれも操作しないで現在サムネイル画像で表示されているｎコマ目の本画像を伸長処理等して表示部１０へ表示することと、本願発明における「表示された拡大サムネイル画像のうちから所望のサムネイル画像を選択して当該サムネイル画像に対応する圧縮画像データを伸長して画像データを得る」ことの間に実質的な差異はない。また、以上のことから、先願発明が「デジタルカメラで撮像した画像の選択方法」に関するものといえることも明らかである。
　
（イ）さらに、先願明細書等の上記記載（ｂ）、（ｆ）によれば、先願発明は、再生コマが連続指示されたときは、サムネイル画像を連続表示することにより各コマの撮像内容を迅速に確認することができるとともに、所望のコマ位置まで迅速にコマ送りすることができるという効果を奏するものでもあることから、先願発明は、「高速画像選択方法」に関するものであるといえる。
　
（ウ）また、先願発明における「連続的にＵＰスイッチ６又はＤＯＷＮスイッチ７が操作されると、各コマのサムネイル画像が拡大処理等されて連続して略１秒毎に表示され」は、連続的にＵＰスイッチ６又はＤＯＷＮスイッチ７が操作されると、順次コマを進めながら（あるいはコマを戻しながら）サムネイル画像を拡大して略１秒毎に表示するのであるから、先願発明の当該構成と本願発明の「サムネイル画像を拡大して順次早送り／早戻し表示し」の間に実質的な差異はない。
　
　以上のとおり、先願発明は、本願発明が備える全ての要件を備えており、両発明は、同一の発明と認められる。
　
４．むすび
　以上のとおりであるから、本願発明は先願発明と同一であり、しかも、本願発明の発明者が上記先願発明の発明者と同一であるとも、また、本願の出願時に、その出願人が上記先願の出願人と同一であるとも認められないので、本願発明は、特許法第２９条の２の規定により特許を受けることができない。
　したがって、本願の他の請求項に係る発明について検討するまでもなく、本願は拒絶されるべきものである。
　よって、結論のとおり審決する。